(57)【要約】【課題】装置が稼働中であっても、包装硬貨を補充可能な包装硬貨放出装置を提供する。【解決手段】ワゴン部２２に、抜取可能に装着された複数の金種別トレー２５から包装硬貨３０を取出して放出する包装硬貨放出装置１であって、前記金種別トレー２５毎の抜取りの可否を判定する制御部２７と、前記制御部２７によって抜取不可と判定された前記金種別トレー２５の抜取操作を防止する抜取禁止ピン３１、抜取禁止レバー３２、及び抜取禁止ソレノイド３３並びに、トレー抜取可否表示部２６とを具備した。【選択図】図４
2008192097.tif 000002
【特許請求の範囲】
【請求項１】
トレー装着部に抜取可能に装着された複数の包装硬貨収納トレーから包装硬貨を取出して放出する包装硬貨放出装置であって、
前記包装硬貨収納トレー毎の抜取りの可否を判定する抜取可否判定手段と、
前記抜取可否判定手段によって抜取不可と判定された前記包装硬貨収納トレーの抜取操作を防止する抜取操作防止手段とを具備した
包装硬貨放出装置。
【請求項２】
前記抜取操作防止手段による抜取操作の防止タイミングを、
利用者が取出す包装硬貨を設定する取出設定処理時、前記包装硬貨収納トレーに装填されている包装硬貨の計数動作実行時、或いは前記包装硬貨収納トレーから包装硬貨を取出す包装硬貨取出時とする
請求項１記載の包装硬貨放出装置。
【請求項３】
抜取不可の理由が解消した前記包装硬貨収納トレーについて前記抜取操作防止手段による抜取操作防止を解除する抜取操作防止解除手段を備えた
請求項１及び２記載の包装硬貨放出装置。
【請求項４】
前記抜取操作防止手段として、
包装硬貨収納トレー毎の抜取りの可否を報知する抜取可否報知手段を備えた
請求項１、２或いは３に記載の包装硬貨放出装置。
【請求項５】
前記抜取操作防止手段として、
抜取不可と判定された前記包装硬貨収納トレーを抜取不可にロックする抜取ロック手段を備えた
請求項１から４のうちいずれかに記載の包装硬貨放出装置。
【発明の詳細な説明】
【技術分野】
【０００１】
本発明は、例えば金融機関等の両替機に内蔵される貨幣放出装置に関し、さらには収納された包装硬貨の金種及び本数を管理して放出する包装硬貨処理装置に関する。
【背景技術】
【０００２】
以下、金種別に取扱われる包装硬貨を放出する包装硬貨処理装置を例にとって説明を行なう。包装硬貨処理装置は金融機関等の両替機の内部に設けられている。この包装硬貨処理装置には、同金種の複数本の包装硬貨を収納する金種別収納トレーが上下に複数段設けられている。また、この包装硬貨処理装置には、該金種別収納トレーから一本ずつ取出した包装硬貨を収納し、この包装硬貨を昇降動作によって取出口まで搬送するバケットが設けられている。
【０００３】
また、包装硬貨処理装置は、装置内部に収納した包装硬貨の現金管理を自動的に行なうため、各金種別トレー内に収納する包装硬貨の収納量を管理し、現金管理する管理手段を備えている。
【０００４】
このような包装硬貨処理装置として、例えば、各トレー内に収納された包装硬貨の残量を検知する残量検知手段を備えたものが提案されている（特許文献１参照）。  
この包装硬貨処理装置の残量検知手段は、トレー底部に設けたセンサ穴と、センサ穴を透過する光の有無を検出する透過型センサと、包装硬貨の配列方向に透過型センサを移動させる移動機構とで構成されている。この包装硬貨処理装置は、包装硬貨によって覆われたセンサ穴を、移動機構で移動する透過型センサで検知して、トレーに収納した包装硬貨の残量を検知するものである。
【０００５】
また、例えば、トレーに収納した包装硬貨の金種及び残量を検知する検知手段を備えた包装硬貨処理装置が提案されている（特許文献２参照）。  
この包装硬貨処理装置の検知手段は、包装硬貨の収納方向に沿って、トレー両側面に備えられたスリットと、スリットを通過して反射する反射光のＯＮ／ＯＦＦの変化状態にて包装硬貨の残量及び金種を検知する包装硬貨検知センサとで構成されている。この包装硬貨処理装置は、包装硬貨検知センサがスリットに沿って移動して当該トレーに収納された包装硬貨の残量、及び金種を検知するものである。
【０００６】
【特許文献１】特開２００４−３１８６０２号公報
【特許文献２】特開平７−２４９１３９号公報
【発明の開示】
【発明が解決しようとする課題】
【０００７】
前記従来例によれば、検知手段によって、装置内部に収納した包装硬貨の残量、金種などを検知して、収納した包装硬貨の残量管理を行なうことができる。したがって、収納した包装硬貨の残量が少なくなったことを検知でき、収納した包装硬貨が無くなる前に、前以って包装硬貨を補充することができる。
【０００８】
通常、包装硬貨の補充では、一旦、包装硬貨処理装置を休止させ、保守員がトレーを抜取り、包装硬貨をトレーに補充し、補充済のトレーを装填する。そして、保守員は、包装硬貨処理装置に包装硬貨の収納本数を計数する計数処理を実行させた上で、包装硬貨処理装置の取扱を再開させる。
【０００９】
しかし、実際の運用においては、包装硬貨処理装置を利用する利用客が行列を成して次々に利用している場合が多い。このため、補充のための包装硬貨処理装置の休止は多数の利用客を待たせることにつながり、包装硬貨処理装置を稼動させたまま包装硬貨を補充することが望まれていた。  
また、従来の包装硬貨処理装置において、稼動状態のまま補充のために、所定の包装硬貨を取り出すためのトレーが包装硬貨の取出し前に抜き取られると、包装硬貨が取り出せないというエラーが発生し、両替処理が実行できない惧れがあった。
【００１０】
本発明は、稼動状態での包装硬貨の補充を可能にすることによって、稼動効率を向上させ、利用客の利便性を向上させる包装硬貨処理装置を提供することを目的としている。
【課題を解決するための手段】
【００１１】
本発明は、トレー装着部に抜取可能に装着された複数の包装硬貨収納トレーから包装硬貨を取出して放出する包装硬貨放出装置であって、前記包装硬貨収納トレー毎の抜取りの可否を判定する抜取可否判定手段と、前記抜取可否判定手段によって抜取不可と判定された前記包装硬貨収納トレーの抜取操作を防止する抜取操作防止手段とを具備したことを特徴とする。
【発明の効果】
【００１２】
本発明によれば、稼動状態の包装硬貨処理装置に、動作処理に支障することなく包装硬貨を補充でき、包装硬貨処理装置の稼動効率を向上させ、利用客の利便性を向上することができる。
【発明を実施するための最良の形態】
【００１３】
この発明の一実施例を以下図面に基づいて詳述する。  
紙幣、包装硬貨、及びバラ硬貨を取り扱う自動両替装置１の斜視図を示す図１と、自動両替装置１の背面図を示す図２と、自動両替装置１のブロック図を示す図３とともに自動両替装置１について説明する。
【００１４】
図１に示すように、自動両替装置１前面には、操作部と表示部とを兼ねるタッチパネル２と、利用者による紙幣の投入及び取出しを許容する紙幣入出金口３、両替されたバラ硬貨を利用者によって取出させる硬貨取出口４、両替された包装硬貨を利用者によって取出させる包装硬貨取出口５、利用者によって両替時にカードが挿入されるカード挿入口６、両替取引の内容等が印字された取引明細票を放出する取引明細票取出口７、自動両替装置１の取扱中であるか否かの状態を表示する取扱状態表示部８が備えられている。なお、利用者は上記タッチパネル２を操作して両替する金種や金額を指定することができる。
【００１５】
図２に示すように、自動両替装置１内部には、紙幣の取込み、鑑別、収納、並びに放出等を行う紙幣処理部１１、包装硬貨の鑑別、並びに放出等を行う包装硬貨処理部１２、バラ硬貨の鑑別、並びに放出等を行う硬貨処理部１３、操作者に対応する保守員等によって操作される保守員パネル部１４を備え、自動両替装置１背面に保守員等が開ける装置後扉１８を備えている。なお、包装硬貨処理部１２の背面にも内扉を設け、当該内扉を開けて包装硬貨の装填または補充等の操作を行う構成としてもよい。
【００１６】
図３に示すように、取引明細票取出口７から放出する取引等の取引明細票を発行する帳票処理部１６、上記タッチパネル２、カード処理部１５、紙幣処理部１１、包装硬貨処理部１２、硬貨処理部１３、並びに、保守員パネル部１４は、それらを制御し、両替処理や保守員処理などを実行する主制御部１７に接続されている。
【００１７】
詳述すると、主制御部１７は、タッチパネル２及び保守員パネル部１４への案内表示や入力受付の指令、カード処理部１５へカードの受付、読込み、返却等の指令、紙幣処理部１１への入金、出金等の指令、包装硬貨処理部１２及び硬貨処理部１３への出金等の指令、帳票処理部１６への取引明細票の印刷等の指令など、各部へ指令を行い、その処理結果を確認及び判断して、両替処理及び保守員処理等を実行する。
【００１８】
上記構成を有する自動両替装置１は、装置後扉１８を開けた保守員によって、紙幣処理部１１、包装硬貨処理部１２、硬貨処理部１３のそれぞれに両替用の紙幣、包装硬貨、硬貨が装填され、保守員パネル部１４によって入力された装填数量を受け付けた上で、保守員パネル部１４から取扱中の入力を受け付ける。これにより、自動両替装置１は稼動状態となり、取扱状態表示部８及びタッチパネル２の表示を取扱中止から取扱中に変更する。
【００１９】
このように稼動状態の自動両替装置１は、利用客によってカード挿入口６からカードが挿入されるか、タッチパネル２の取引開始を示すキーを押下されることにより自動両替装置１の両替処理を開始する。自動両替装置１は、紙幣入出金口３を開き、両替の元金となる紙幣（以下において「両替元金」という）が紙幣入出金口３に挿入されると、紙幣処理部１１によって、当該両替元金を取込み、鑑別、並びに計数する。
【００２０】
当該両替元金を鑑別、計数した自動両替装置１は、鑑別、計数結果に従ってタッチパネル２に両替可能な金種と数量を表示し、タッチパネル２を操作した利用客から希望する両替金種及び数量の指定を受け付ける。
【００２１】
両替金種及び数量の指定を受け付けた自動両替装置１は、指定された両替金種及び数量に従い、紙幣処理部１１、包装硬貨処理部１２、硬貨処理部１３から両替金を取出し、両替金の鑑別を行い、紙幣入出金口３、硬貨取出口４、包装硬貨取出口５から両替金を放出する。また、自動両替装置１は、取引明細票取出口７より、本両替処理における取引明細を示す取引明細票を放出する。
【００２２】
次に、包装硬貨処理部１２の斜視図を示す図４、包装硬貨処理部１２（トレー抜取禁止機構）の構成図を示す図５、包装硬貨処理部１２（トレー部）の構成図を示す図６、包装硬貨処理部１２（トレー部及び装着検知）の構成図を示す図７とともに、包装硬貨処理部１２及び、抜取操作防止手段に対応するトレー抜取禁止機構について説明する。
【００２３】
包装硬貨処理部１２は、互いに分離し、結合可能に構成されたフィーダ部２１と、トレー装着部に対応するワゴン部２２とで構成される。  
フィーダ部２１は、金種別トレー２５から包装硬貨を１本ずつ取り出して金種等を鑑別した上で収納する昇降式のバケット２３、及びバケット２３に集積した包装硬貨の利用者による取出しを許容する包装硬貨取出口２４を備えている。包装硬貨取出口２４は自動両替装置１の前面に備えた包装硬貨取出口５と連通している。
【００２４】
バケット２３は、上面を開口させた箱を２つ横並びにした形状であり、左右１つずつ計２つの収納部を有している。各収納部の金種別トレー２５側には、図７に示すように、金種別トレー２５から最前の包装硬貨３０を取出す可動式の取出爪２３ａが設けられている。したがって、所定の金種別トレー２５から包装硬貨３０を複数取出す場合、包装硬貨３０の取出し回数に応じて取出爪２３ａを回動させ、金種別トレー２５に整列収納されている包装硬貨３０を１つずつ必要数だけ金種別トレー２５から取出す。
【００２５】
また、図４に示すように、バケット２３の金種別トレー２５側の背側面には、フィーダ部２１とワゴン部２２とが結合した状態で金種別トレー２５に収納した包装硬貨３０の有無を検出するチェックセンサ４６を備えている。  
なお、昇降式のバケット２３は、包装硬貨部の制御を行う制御部（ＣＰＵ）２７（図３）と接続され、抜取可否判定手段として機能する制御部２７は、主制御部１７に接続されている。
【００２６】
制御部２７は、主制御部１７から包装硬貨の放出指令を受信すると、ＲＡＭ２９に記憶しておいた金種別トレー２５のトレー毎の収納本数を元に、包装硬貨３０を取出す金種別トレー２５と本数を決定し、ＲＡＭ２９に記憶する。そして、バケット２３を下から上に移動させ、包装硬貨３０を取出す金種別トレー２５の対向位置で停止させ、所定本数分の包装硬貨３０を取出してバケット２３に集積する。この集積動作を下方の金種別トレー２５から上方の金種別トレー２５まで順に実行し、両替要求分の包装硬貨３０がすべてバケット２３に揃えば、バケット２３を包装硬貨取出口２４まで移動させる。
【００２７】
ここで利用者によって包装硬貨３０が取り出されると、バケット２３を下方へ移動させ、次の両替処理までこの最下端位置で待機する。この上方位置から最下端位置までバケット２３を移動させる間、バケット２３に備えたチェックセンサ４６で金種別トレー２５に収納した最前の包装硬貨３０の有無をチェックし、空トレーを検出して記憶する。したがって、再度、バケット２３が上部待機位置から最下端まで移動する際に、空トレーであった金種別トレー２５から包装硬貨３０が検出された場合、自動両替装置１は当該金種別トレー２５に包装硬貨３０が補充されたと認識する。
【００２８】
ワゴン部２２は、複数の金種別トレー２５、金種別トレー２５毎の抜取可否を表示するトレー抜取可否表示部２６、トレー装着検知センサ兼包装硬貨本数計数センサ４２、並びに、抜取ロック手段であるトレー抜取禁止機構を構成する抜取禁止ピン３１、抜取禁止レバー３２、及び抜取禁止ソレノイド３３を備えている。  
金種別トレー２５は、同一金種を奥行き方向に並列させて多数収納する長尺形状に形成されている。
【００２９】
金種別トレー２５は左右二列で上下方向に複数段配設され、それぞれは包装硬貨３０を取り出す先端部分が下向きとなるように前傾姿勢でワゴン部２２に抜取可能に装着されている。
【００３０】
図５に示すように、包装硬貨処理部１２は、各金種別トレー２５をそれぞれ独立して個別にワゴン部２２にロックして、ワゴン部２２からの金種別トレー２５の抜取りを規制するトレー抜取禁止機構を備えている。トレー抜取禁止機構は、金種別トレー２５の先端付近に備えた幅方向（左右方向）に突出する抜取禁止ピン３１と、抜取禁止ピン３１に対応する箇所のワゴン部２２内側に備えた抜取禁止レバー３２、及び抜取禁止ソレノイド３３とで構成している。
【００３１】
なお、抜取禁止ソレノイド３３は、制御部２７に接続されており、制御部２７によってトレー抜取り禁止制御された場合、抜取自在位置（図５中３３ｂ参照）から抜取禁止位置（図５中３３ａ参照）まで駆動する（図５中矢印Ａ参照）。これにより、抜取禁止レバー３２が連動して（図５中矢印Ｂ参照）、抜取禁止ピン３１とともに、金種別トレー２５をワゴン部２２にロックする。このようにして、ワゴン部２２からの当該金種別トレー２５の抜取りを規制する。
【００３２】
なお、金種別トレー２５は、上述したように、左右二列で備えられているため、金種別トレー２５に備えた抜取禁止ピン３１、ワゴン部２２内側面に備えた抜取禁止レバー３２及び抜取禁止ソレノイド３３は、左右のそれぞれの金種別トレー２５の両外側に独立して配されている。
【００３３】
図６に示すように、金種別トレー２５の両側面には、当該金種別トレー２５に収納された包装硬貨３０の本数を認識するための包装硬貨検知センサ４１がその長尺方向に沿って配列され、図７に示すよう、各金種別トレー２５を装着した状態のトレー先端の傍らに位置する箇所のワゴン部２２にトレー装着検知センサ兼包装硬貨本数計数センサ４２（以下において「センサ４２」という）を備えている。
【００３４】
これにより、センサ４２は、金種別トレー２５と通信して、トレーの装着及び非装着の判断を行うとともに、更に包装硬貨検知センサ４１の状態を見ることにより収納されている本数を計数することができる。  
また、包装硬貨部の制御部２７は、センサ４２による各金種別トレー２５の装着か非装着（抜取中）の状態、及び各金種別トレー２５に収納している包装硬貨３０の本数等をＲＡＭ２９に格納している。また、常にセンサ４２をセンシングすることにより、金種別トレー２５の抜取りが無いか、及び収納本数に変化がないかを監視しており、これらの状態が即時に検知できる構成としている。
【００３５】
上述したように構成された自動両替装置１の抜取禁止機構は、本実施例において、図８の一覧表に示すような抜取り禁止制御で設定されている。  
まず、取出設定処理時に対応し、利用者がタッチパネル２を操作して両替処理内容を設定する両替設定処理中は、収納した包装硬貨がなくなった空状態の金種別トレー２５（以下において「空トレー」という）以外の金種別トレー２５を抜取不可としている。両替出金処理中は、現在取出中及び取出予定の金種別トレー２５を抜取不可としている。なお、バケット２３による包装硬貨３０の取出しが済んだ金種別トレー２５、取出対象でない金種別トレー２５、或いは空トレーは抜取可としている。また、両替設定処理、及び両替出金処理以外の状態においては、全ての金種別トレー２５が常に抜取可に設定されている。
【００３６】
また、抜取可否報知手段に対応するトレー抜取可否表示部２６は、抜取不可の場合はランプを点滅、抜取可の場合であって、補充が必要な場合はランプを点灯、補充が不要である場合はランプを消灯としている。
【００３７】
本実施例においては、トレーの抜取可否を示す一例として、各金種別トレー２５の近傍のワゴン部２２の背面側にトレー抜取可否表示部２６を設けた構成で説明したが、本実施形態に限らず、例えば、各金種別トレー２５本体背面に上記トレー抜取可否表示部２６を設けても良く、ランプの点灯、消灯の有無で各トレーの指定が判る構成であれば差し支えない。また、ランプの点灯、消灯の変化の有無で各トレーの指定を案内する構成に限らず、ランプが発光する色に応じて案内する、ランプ以外の表示器を使用する、或いは保守員パネル部１４にて抜取可否を表示して案内するなど、保守員が金種別トレー２５毎の抜取可否が判断できる表示する構成のものであればよい。
【００３８】
次に、本実施例における自動両替装置１や包装硬貨処理部１２の処理の流れを図９、図１０、図１１のフローチャートを用いて説明を行う。まずは図９を用いて自動両替装置１の取引処理を、次に図１０、及び図１１を用いて包装硬貨処理部１２の動作を説明する。
【００３９】
図９は自動両替装置１の取引処理フローチャートである。利用客によってカードがカード挿入口６に挿入されて両替取引を開始されると、自動両替装置１の主制御部１７は、まずカード処理部１５に対してカード読取指令を行う（ステップｎ１）。  
カード処理部１５から通知されたカード情報が取扱可能なカードであった場合は、主制御部１７は次に紙幣処理部１１に対して両替元金の入金指令を行い（ステップｎ２）、包装硬貨処理部１２に対して、空トレーをのぞく金種別トレー２５を抜取禁止にする指令を行う（ステップｎ３）。
【００４０】
主制御部１７は、ステップｎ２において紙幣処理部１１から通知された両替元金の金額をタッチパネル２に通知し、両替設定の受付け指令を行い（ステップｎ４）、利用客によってタッチパネル２から入力された両替内容を受け取る。両替内容を受け取った主制御部１７は、利用客の両替内容に基づいて、紙幣処理部１１、包装硬貨処理部１２、硬貨処理部１３に対して両替金の放出指令を行うとともに、帳票処理部１６に対して取引明細票の印字指令を送る（ステップｎ５）。
【００４１】
両替金が全て正常に放出され、取引明細票も正常に印字されると、主制御部１７は、紙幣処理部１１、包装硬貨処理部１２、並びに硬貨処理部１３に対して両替金の取出待ち指令を行うとともに、帳票処理部１６に対して取引明細票の取出待ち指令を送る（ステップｎ６）。すべての両替金及び取引明細票が利用客によって取出されると、主制御部１７は紙幣処理部１１に対して両替元金の収納指令を行い、両替取引を終了する。
【００４２】
次に図１０、及び図１１を用いて包装硬貨処理部１２の動作を説明する。  
包装硬貨処理部１２は、主制御部１７からトレー抜取禁止指令（空トレーを除く）を受取ると（ステップｎ１１）、空トレー以外の金種別トレー２５に対応する抜取禁止ソレノイド３３を抜取禁止側にセットし（ステップｎ１２）、空トレー以外の金種別トレー２５のトレー抜取可否表示部２６を抜取不可（ランプ点滅）にする（ステップｎ１３）。
【００４３】
次に包装硬貨処理部１２の放出処理に関して図１１を用いて説明する。  
包装硬貨処理部１２は主制御部１７から包装硬貨放出指令を受取ると（ステップｎ２１）、ＲＡＭ２９に保存されている各金種別トレー２５に収納されている本数を読出し、どの金種別トレー２５から何本の包装硬貨３０を取出すかを決定する（ステップｎ２２）。
【００４４】
次に包装硬貨処理部１２は、ステップｎ２２で決定した取出予定の金種別トレー２５に対して、抜取禁止ソレノイド３３を抜取禁止側にセットし（ステップｎ２３）、トレー抜取可否表示部２６を抜取不可（ランプ点滅）にする（ステップｎ２４）。
【００４５】
そして、最初の取出予定の金種別トレー２５の位置にバケット２３を移動させ（ステップｎ２５）、当該の金種別トレー２５からステップｎ２２で決定した本数の包装硬貨３０をバケット２３で取出して集積する（ステップｎ２６）。正常に包装硬貨３０の取出しが完了すると、包装硬貨処理部１２の制御部２７は抜取操作防止解除手段として機能して、当該金種別トレー２５の抜取禁止ソレノイド３３を抜取許可側にセットし（ステップｎ２７）、トレー抜取可否表示部２６のランプを点灯（抜取可、補充要）する（ステップｎ２８）。
【００４６】
更に、同一金種の取出予定の金種別トレー２５がある場合（ステップｎ２９：Ｎｏ）、バケット２３を当該金種別トレー２５に移動させ（ステップｎ３３）、ステップｎ２６の処理に戻って、取出予定の当該金種の全ての金種別トレー２５からの包装硬貨３０の取出しが完了するまで繰り返す（ステップｎ３２：Ｎｏ）。
【００４７】
同一金種の取出しが完了すると（ステップｎ２９：Ｙｅｓ）、制御部２７は当該金種の全ての金種別トレー２５の抜取禁止ソレノイド３３を抜取許可側にセットし（ステップｎ３０）、トレー抜取可否表示部２６を図８に示す「トレー抜取可否表示」の表に従って表示する（ステップｎ３１）。  
全ての包装硬貨３０の取出しが完了すると（ステップｎ３２：Ｙｅｓ）、バケット２３を包装硬貨取出口２４に移動して（ステップｎ３４）、包装硬貨処理部１２の放出処理を終了する。
【００４８】
以上のように、自動両替装置１の両替処理中における、特に、包装硬貨処理部１２の放出処理中すなわち両替出金処理中において、取出予定の金種別トレー２５が抜取られることによって自動両替装置に障害が生じることを防止している。
【００４９】
詳述すると、本実施例の自動両替装置１は、取扱中に包装硬貨を補充する場合、保守員は装置後扉１８を開けて、後述のトレー抜取可否表示部２６を確認し、抜取可能な金種別トレー２５を抜取り、取扱中のままで包装硬貨３０を追加補充し、金種別トレー２５をワゴン部２２に戻すことができる。よって、自動両替装置１は、従来のように利用客を待たすことなく、稼働中に補充作業を実施することができる。
【００５０】
また、保守員等による包装硬貨３０の補充作業において、自動両替装置１の稼動に支障するような、すなわち自動両替装置１の両替処理にエラーが生じるような金種別トレー２５を抜き取ろうとした場合であっても、金種別トレー２５毎に抜取不可又は抜取可を設定できるため、抜取不可に設定することによって両替処理にエラーが生じるような金種別トレー２５の抜き取りを防止でき、自動両替装置１の稼動を休止せずとも、包装硬貨３０を補充することができる。
【００５１】
なお、１回の包装硬貨３０の補充作業は、複数の両替処理を跨いで連続して作業しなければならないことが多く、その場合、上記フローチャートに示す自動両替装置１の両替処理はその都度実行され、処理ごとに金種別トレー２５の抜取禁止処理も実行される。したがって、包装硬貨３０の補充作業中に、抜取不可である金種別トレー２５は両替処理ごとに変化する可能性があるため、補充作業の当初、抜取不可であった金種別トレー２５でも、両替処理が次の処理に移行することで、当該金種別トレー２５が抜取可となって、包装硬貨３０を補充することができる可能性がある。
【００５２】
また、１件の両替処理においても、包装硬貨３０の取出予定によって当初、抜取不可であった金種別トレー２５のうち、バケット２３による包装硬貨３０の取出しが終了した金種別トレー２５は順次抜取可になる。したがって、両替頻度が高く、抜取不可に設定される可能性の高い金種を収納する金種別トレー２５が補充作業の当初に抜取不可であっても、包装硬貨３０の補充作業中に、バケット２３による取出しが終了したことによって当該金種別トレー２５が抜取可となり、自動両替装置１の稼動を休止せずとも、包装硬貨３０を補充することができる。
【００５３】
また、収納する包装硬貨３０がなくなった空トレーを常に抜取可に設定しているため、ワゴン部２２の上部に配置され、バケット２３による取出順序が遅い金種別トレー２５であっても、補充を必要とする空トレーになった場合、自動両替装置１の処理状況に係わらず、包装硬貨３０を補充できる。これにより、両替する包装硬貨３０の不足によって自動両替装置１が両替処理不能となる可能性を低減している。
【００５４】
また、利用者がタッチパネル２を操作して両替内容を設定する両替設定中には空トレー以外の金種別トレー２５を抜取不可にすることによって、両替内容に応じて包装硬貨３０を取出す金種別トレー２５を決定する主制御部１７にとって、より多くの選択可能な金種別トレー２５を確保することができる。したがって、両替設定中に金種別トレー２５を抜取不可にしない場合と比較して、より効率的な金種別トレー２５による包装硬貨３０の取出しを決定することができる。
【００５５】
本実施例では、取出処理のために、処理対象となっているトレーの抜取りを防止するものであり、想定される障害としては放出動作に関連した障害を想定したが、これに限るものでなく、例えば装置内部に収納された現金計数中に計数の対象となるトレーが抜取られ計数ミスが発生するケースなどにおいても当てはまるものである。
【００５６】
詳述すると、保守員によって両替金が補充され当該補充が完了すると、自動両替装置１は金種別トレー２５に収納する包装硬貨３０を計数する。この場合、自動両替装置１は一旦全トレーを抜取不可に設定し、計数処理が完了した金種別トレー２５から随時、抜取禁止を解除する。
【００５７】
また、本実施例ではトレーの抜取りのロックと、可否表示の両方を行う構成としたが、一方のみを行う構成としてもよい。また、包装硬貨３０を金種別トレー２５から取り出す処理中にロックする構成に限らず、金種別トレー２５の抜取りが自動両替装置１の障害につながる他の処理中にロックする構成としてもよい。
【００５８】
更に、本実施例では包装硬貨を補充する際にトレーの抜取りが可能か否かを判断し、抜取不可である場合に、対象トレーが誤って抜取られることを防止する構成としたが、紙幣または包装硬貨またはバラ硬貨を補充する際に紙幣処理部１１または包装硬貨処理部１２、または硬貨処理部１３が補充可能か否かを判断し、補充不可である場合に、対象となる処理部または包装硬貨トレーの抜取り、または包装硬貨処理部の後部扉の扉開を防止する構成としてもよい。
【図面の簡単な説明】
【００５９】
【図１】自動両替装置の斜視図。
【図２】自動両替装置の背面図。
【図３】自動両替装置のブロック図。
【図４】包装硬貨処理部の斜視図。
【図５】包装硬貨処理部（トレー抜取禁止機構）の構成図。
【図６】包装硬貨処理部（トレー部）の構成図。
【図７】包装硬貨処理部（トレー部及び装着検知）の構成図。
【図８】トレーの抜取（補充）可否制御の例。
【図９】自動両替装置の取引処理フローチャート。
【図１０】包装硬貨処理部の全トレー抜取禁止処理フローチャート。
【図１１】包装硬貨処理部の取出処理フローチャート。
【符号の説明】
【００６０】
１…自動両替装置
２５…金種別トレー
２６…トレー抜取可否表示部
２７…包装硬貨部制御部
３０…包装硬貨
３１…トレー抜取禁止ピン
３２…トレー抜取禁止レバー
３３…トレー抜取禁止ソレノイド
【図１】
2008192097.tif 000003
【図２】
2008192097.tif 000004
【図３】
2008192097.tif 000005
【図４】
2008192097.tif 000006
【図５】
2008192097.tif 000007
【図６】
2008192097.tif 000008
【図７】
2008192097.tif 000009
【図８】
2008192097.tif 000010
【図９】
2008192097.tif 000011
【図１０】
2008192097.tif 000012
【図１１】
2008192097.tif 000013